(57)【要約】【課題】厚み方向に圧迫されても、尿等の排泄物を好適に収容できる排泄物収容物品を提供する。【解決手段】開口６を有する液不透過性の表面シート３と、表面シート３に重ねて配される液不透過性の底面シート４とから形成される袋２と、開口６の周縁に設けられる肌当接部材７と、表面シート３と底面シート４の間であって、開口６の周縁より外方に設けられているスペーサー８を有する排泄物収容物品。【選択図】図４
2012157596.tif 000002
【特許請求の範囲】
【請求項１】
開口を有する液不透過性の表面シートと、前記表面シートに重ねて配される液不透過性の底面シートとから形成される袋と、
前記開口の周縁に設けられる肌当接部材と、
前記表面シートと前記底面シートの間であって、前記開口の周縁より外方に設けられているスペーサーを有することを特徴とする排泄物収容物品。
【請求項２】
前記スペーサーが発泡ポリマーまたは繊維塊から構成されている請求項１に記載の排泄物収容物品。
【請求項３】
前記繊維塊がエアスルー不織布またはエアレイド不織布である請求項２に記載の排泄物収容物品。
【請求項４】
前記スペーサーが、前記表面シートに接合され、前記底面シートに接合されない請求項１〜３のいずれか一項に記載の排泄物収容物品。
【請求項５】
前記開口が、男性器の陰茎および陰嚢を挿入可能な大きさに形成されている請求項１〜４のいずれか一項に記載の排泄物収容物品。
【請求項６】
前記開口が、排泄物収容物品の長手方向の一方側が他方側より幅広に形成されている請求項５に記載の排泄物収容物品。
【請求項７】
前記表面シートと前記底面シートの間に、前記袋の開口と重なる位置に開口が形成されている液吸収体が設けられている請求項１〜６のいずれか一項に記載の排泄物収容物品。
【請求項８】
前記肌当接部材が繊維塊から構成されている請求項１〜７のいずれか一項に記載の排泄物収容物品。
【発明の詳細な説明】
【技術分野】
【０００１】
本発明は、尿等を収容できる排泄物収容物品に関するものである。
【背景技術】
【０００２】
従来、特に男性用に適した排泄物収容物品が様々知られている。例えば特許文献１には、液透過性のトップシートと液不透過性のバックシートの間に吸収体が配された吸収性シートと、この吸収性シートのトップシート側に設けられ、吸収性シートの周縁に液不透過性のカバーシートが接合されることにより形成された袋を有し、カバーシートにＹ字状の開裂用ミシン目が形成された男性用の排泄物収容物品が開示されている。この排泄物収容物品は、使用時にミシン目を開裂させてスリットを形成し、このスリットに男性器を挿入して用いられる。
【先行技術文献】
【特許文献】
【０００３】
【特許文献１】特開２００９−８２４７７号公報
【発明の概要】
【発明が解決しようとする課題】
【０００４】
しかし、特許文献１に開示される排泄物収容物品は、厚み方向に圧迫されるような使用条件下では、袋内に排泄された尿等が袋内に収容されきれずに溢れ出るおそれがある。
【０００５】
本発明は前記事情に鑑みてなされたものであり、その目的は、厚み方向に圧迫されても、尿等の排泄物を好適に収容できる排泄物収容物品を提供することにある。
【課題を解決するための手段】
【０００６】
前記課題を解決することができた本発明の排泄物収容物品とは、開口を有する液不透過性の表面シートと表面シートに重ねて配される液不透過性の底面シートとから形成される袋と、前記開口の周縁に設けられる肌当接部材と、表面シートと底面シートの間であって前記開口の周縁より外方に設けられているスペーサーを有するところに特徴を有する。
【０００７】
本発明の排泄物収容物品は、液不透過性の表面シートと液不透過性の底面シートが重ねられて形成された袋に開口が設けられ、この開口の周縁より外方にスペーサーが設けられているため、排泄物収容物品の厚みを薄く形成することができるとともに、排泄物収容物品が厚み方向に圧迫されても、スペーサーの存在により尿等が袋内で好適に拡散できるようになる。従って、本発明の排泄物収容物品は、薄型であるにも関わらず、尿等が好適に袋内に収容され、漏れが防止されるようになる。特に本発明の排泄物収容物品は男性用に好適に用いられ、スペーサーが開口の周縁より外方に設けられることにより、着用者が開口に男性器を挿入しても男性器がスペーサーに触れにくくなり、着用感が向上する。
【０００８】
スペーサーは発泡ポリマーまたは繊維塊から構成されていることが好ましい。スペーサーが発泡ポリマーまたは繊維塊から構成されていれば、袋内に収容された尿等が発泡ポリマーまたは繊維塊の内部に存在する空隙を通って、袋内で好適に拡散できるようになる。
【０００９】
スペーサーが繊維塊から構成される場合、繊維塊としては、エアスルー不織布またはエアレイド不織布であることが好ましい。このような不織布をスペーサーとして用いれば、不織布を構成する繊維間隙が比較的大きく形成され、尿等の拡散性が高められる。
【００１０】
スペーサーは表面シートに接合され、底面シートに接合されないことが好ましい。このようにスペーサーが設けられていれば、排泄物収容物品が厚み方向に圧迫されない状態では、スペーサーの下側に尿等が拡散できる空間が形成され、尿等が袋内で好適に拡散できるようになる。
【００１１】
袋に形成された開口は、男性器の陰茎および陰嚢を挿入可能な大きさに形成されていることが好ましい。このように開口が形成されていれば、着用者が動いたりして様々な姿勢をとっても男性器が袋内に確実に収容されるようになる。さらに、袋に形成された開口は、排泄物収容物品の長手方向の一方側が他方側より幅広に形成されていることが好ましい。このように開口が形成されていれば、開口に陰茎と陰嚢の両方を挿入しやすくなる。
【００１２】
表面シートと底面シートの間には、袋の開口と重なる位置に開口が形成されている液吸収体が設けられることが好ましい。袋の内部に液吸収体が設けられていれば、袋の内部に収容された尿等の排泄物が液吸収体に吸収されて固定され、尿等の排泄物を袋内に好適に収容できるようになる。また、袋の開口と重なる位置に液吸収体の開口が形成されていれば、開口から袋内に男性器を挿入した際、液吸収体の開口の部分に男性器が収まって、袋内で男性器が窮屈感を覚えにくくなる。
【００１３】
袋の開口の周縁に設けられる肌当接部材は繊維塊から構成されていることが好ましい。肌当接部材が繊維塊から構成されていれば、肌当接部材の肌触りが良好になり、肌当接部材に好適にクッション性が付与され、排泄物収容物品の装着感が向上する。
【発明の効果】
【００１４】
本発明の排泄物収容物品は、薄型であるにも関わらず、厚み方向に圧迫されても、スペーサーの存在により尿等が袋内で好適に拡散できるようになる。従って、排泄物収容物品を着用してもその存在が外見から分かりにくくなるとともに、尿等が好適に袋内に収容されるため漏れが防止されやすくなる。特に本発明の排泄物収容物品は男性用に好適に用いられ、スペーサーが開口の周縁より外方に設けられることにより、着用者が開口に男性器を挿入しても男性器がスペーサーに触れにくくなり、着用感が向上する。
【図面の簡単な説明】
【００１５】
【図１】本発明の排泄物収容物品（第１実施態様）の平面図を表す。
【図２】図１に示した排泄物収容物品のＩＩ−ＩＩ断面図を表す。
【図３】図１に示した排泄物収容物品のＩＩＩ−ＩＩＩ断面図を表す。
【図４】本発明の排泄物収容物品（第２実施態様）の平面図（一部切欠図）を表す。
【図５】図４に示した排泄物収容物品のＶ−Ｖ断面図を表す。
【図６】図４に示した排泄物収容物品のＶＩ−ＶＩ断面図を表す。
【図７】本発明の排泄物収容物品（第３実施態様）の平面図を表す。
【図８】本発明の排泄物収容物品（第４実施態様）の平面図を表す。
【発明を実施するための形態】
【００１６】
本発明の排泄物収容物品について、図面を参照して説明する。なお、本発明は、図面に示された実施態様に限定されるものではない。
【００１７】
図１〜図３には、本発明の排泄物収容物品の第１実施態様を示す。図１は、本発明の排泄物収容物品の平面図を表す。図１は、排泄物収容物品の着用者の肌に面する側を表している。図２は、図１のＩＩ−ＩＩ断面図を表し、図３は、図１のＩＩＩ−ＩＩＩ断面図を表す。なお、本願の図では、矢印ｘが幅方向、矢印ｙが長手方向を表し、矢印ｘ，ｙにより形成される面に対して垂直方向が厚み方向ｚを表す。また、図の上側が排泄物収容物品の前方側に相当し、図の下側が排泄物収容物品の後方側に相当する。
【００１８】
長手方向ｙは、排泄物収容物品を着用者が着用した際、着用者の股間の前後方向に延びる方向を意味する。幅方向ｘとは、排泄物収容物品を平面に広げた状態で排泄物収容物品と同一面上にあり、長手方向ｙと直交する方向を意味する。また、本発明において、上側とは排泄物収容物品を着用した際の着用者側を意味し、下側とは排泄物収容物品を着用した際の着用者とは反対側、すなわち外側を意味する。
【００１９】
本発明の排泄物収容物品１は、開口６を有する液不透過性の袋２を備える。本発明の排泄物収容物品１は特に男性用の排泄物収容物品として好適に使用され、開口６に男性器を挿入して用いることが好ましい。排泄物収容物品１は、開口６が着用者の排尿部に面するように着用されるものであり、着用者から排泄された尿等の排泄物は袋２内に収容される。
【００２０】
袋２は、開口６を有する液不透過性の表面シート３と、表面シート３に重ねて配される液不透過性の底面シート４とから形成される。図１〜図３では、表面シート３と底面シート４がそれぞれの周縁部５で接合されて袋２が略平面状に形成されている。なお、図１では、周縁部５がハッチングで示されている。表面シート３は、排泄物収容物品１の着用の際に着用者側に位置するシートであり、底面シート４は、排泄物収容物品１の着用の際に着用者とは反対側、すなわち外側に位置するシートである。本発明の排泄物収容物品１は、表面シート３と底面シート４が重ねられて袋２が形成されているため、排泄物収容物品１を厚み方向ｚに薄く形成することができる。従って、例えば、ブリーフタイプのパンツの内面に配して使用したり、おむつカバーにより着用者の股間に押し当てて固定して使用することができる。また着用者は、本発明の排泄物収容物品を装着した状態で比較的肌に密着するズボンをはいても、股間で排泄物収容物品による嵩張り感を覚えにくくなるとともに、排泄物収容物品の存在が外見から分かりにくくなる。
【００２１】
表面シート３と底面シート４は、液不透過性であればその材料は特に限定されない。表面シート３と底面シート４の材料としては、ポリオレフィン（例えば、ポリプロピレン、ポリエチレン）、ポリエステル、ポリアミド（例えば、ナイロン）等の疎水性繊維から形成された不織布や、プラスチックフィルム等を用いることができる。また、不織布とプラスチックフィルムとの積層体を用いてもよい。表面シート３と底面シート４の材料として使用される不織布としては、スパンボンド法、エアスルー法、ポイントボンド法、メルトブロー法、エアレイド法やそれらの製法の組み合わせ（例えば、ＳＭＳ法）等により製造された不織布を用いればよい。なお、本発明において、液不透過性とは撥水性の意味も含まれる。
【００２２】
袋２の平面形状は、排泄物収容物品１の使用態様に応じて適宜定めればよい。図１に示した排泄物収容物品１は長手方向ｙの一方側が幅広に形成された略楕円形あるいは略卵形の平面形状を有しており、例えば、パンツやおむつの内面に配したり、おむつカバーで着用者の股間に固定したりして、いわゆる尿パッドとして使用することができる。排泄物収容物品１を尿パッドとして使用する場合には、排泄物収容物品１の形状（平面形状）は、略長方形、砂時計型、羽子板型、ひょうたん型等であってもよい。
【００２３】
開口６は、排泄物収容物品１を着用した際に着用者の排尿部に面するように、表面シート３に設けられればよい。開口６は、排泄物収容物品１の長手方向ｙの前方側に設けられてもよく、後方側に設けられてもよく、長手方向ｙの中央付近に設けられてもよい。開口６の配置位置は、排泄物収容物品１の意図された使用態様に基づき適宜決定される。図１では、開口６が排泄物収容物品１の前方側に設けられている。
【００２４】
開口６の形状や大きさは、特に男性器を挿入可能なように適宜定めることが好ましい。開口６は、男性器の陰茎のみが挿入可能に形成されていてもよく、陰茎と陰嚢の両方が挿入可能に形成されてもよい。なお、着用者が動いたりして様々な姿勢をとっても男性器が袋２内に確実に収容されるようにするために、開口６は男性器の陰茎および陰嚢を挿入可能な大きさに形成されていることが好ましい。このように開口６が形成されるために、開口６の周縁の長さは１００ｍｍ以上であることが好ましく、１２０ｍｍ以上がより好ましく、１４０ｍｍ以上がさらに好ましく、また２４０ｍｍ以下が好ましく、２２０ｍｍ以下がより好ましく、２００ｍｍ以下がさらに好ましいく。
【００２５】
開口６は、長手方向ｙの一方側が他方側より幅広に形成されていることが好ましい。すなわち、開口６は、幅方向ｘに対し最大長となる部分が、長手方向ｙに対する中間線より一方側または他方側に形成されていることが好ましい。開口６に陰茎と陰嚢の両方が挿入しやすくするためには、開口６は長手方向ｙの後方側が前方側より幅広に形成されていることがより好ましい。開口６は、例えば、台形、角の丸まった台形、卵形等の形状であることが好ましい。図１では、開口６は、長手方向ｙの後方側が前方側より幅広に形成されている卵形に形成されている。
【００２６】
なお、上記説明した開口６の好ましい大きさや形状は、後述する肌当接部材７の内縁が開口６の周縁よりも内方に位置する場合は、肌当接部材７の内縁の大きさや形状で代用するものとする。
【００２７】
開口６の周縁には肌当接部材７が設けられている。肌当接部材７は、着用者が排泄物収容物品１を着用した際、着用者の排尿部近辺の肌に直接触れる部材である。肌当接部材７は、好ましくは、開口６に陰茎を挿入した際に開口６の周縁に陰茎が触れることによる痛みを感じさせるのを防止するとともに、開口６に男性器を挿入した際に男性器の周囲の肌との密着性を高めるように構成される。
【００２８】
肌当接部材７は、少なくとも袋２の外側（外部）、すなわち表面シート３の上側に設けられる。また、表面シート３を挟んで表面シート３の上側と下側にまたがって設けられてもよい。肌当接部材７は、開口６の周縁全体に設けられることが好ましい。
【００２９】
肌当接部材７は、開口６に男性器を挿入した際、陰茎やその付け根部分に痛みや引っ張り等の刺激を過度に与えないように構成されることが好ましい。また肌当接部材７は、男性器およびその周囲の肌との密着性がある程度確保されるように構成されることが好ましい。そのような点から、肌当接部材７は弾性体から構成されることが好ましい。弾性体としては、一般的な排泄物収容物品の取り扱い条件で、弾性変形可能な部材であることが好ましい。弾性体としては、例えば、発泡ウレタン、発泡ゴム、発泡ポリエステル等の発泡ポリマー；天然ゴム；ウレタンゴム、スチレンブタジエンゴム、ブタジエンゴム、エチレンプロピレンゴム等の合成ゴム；綿、パルプ繊維、合成繊維等の繊維の集合体である繊維塊；ゲルや気体（空気等）が充填されたプラスチックやゴム（天然ゴム、合成ゴム等）製のチューブを用いることができる。
【００３０】
肌当接部材７を構成する弾性体としては、肌触りが良好でクッション性に優れる点で、繊維塊を用いることが好ましい。繊維塊としては、綿等の天然繊維の集合体や、厚手の不織布（より好ましくは、天然繊維から構成されるニードルパンチ不織布）を用いることが好ましい。繊維塊として綿等の天然繊維の集合体を用いる場合は、前記集合体が不織布等で包まれていてもよいし、前記集合体が露出していてもよい。
【００３１】
肌当接部材７が繊維塊から構成される場合、繊維塊の目付は２００ｇ／ｍ2以上が好ましく、３００ｇ／ｍ2以上がより好ましく、また１０００ｇ／ｍ2以下が好ましく、９００ｇ／ｍ2以下がより好ましい。繊維塊の目付が２００ｇ／ｍ2〜１０００ｇ／ｍ2の範囲であれば、肌当接部材７にクッション性が良好に付与され、また肌当接部材７の繊維塊に尿等が接触しても尿等がすぐに繊維塊に染みこみにくくなる。従って、肌当接部材７の肌への感触が良好となる。
【００３２】
肌当接部材７の内縁７ａの形状と大きさは、特に男性器を挿入可能なように適宜定めることが好ましい。肌当接部材７の好ましい形状や好ましい大きさは、開口６の好ましい形状や好ましい大きさと同じである。好ましくは、肌当接部材７の内縁７ａは開口６と一致するかそれより内方に位置する。
【００３３】
肌当接部材７の外縁７ｂの形状や大きさは特に限定されない。なお肌当接部材７は、内縁７ａと外縁７ｂの間の幅が５ｍｍ〜３５ｍｍ（より好ましくは７ｍｍ〜２５ｍｍ）の範囲にあることが好ましい。肌当接部材７の内縁７ａと外縁７ｂの間の幅が前記範囲にあれば、肌当接部材７が適度な剛性と柔軟性を有しやすくなり、肌当接部材７の肌への追従性を高めることができるとともに、肌当接部材７の内縁７ａにより形成される開口の形状が良好に保持されやすくなる。
【００３４】
表面シート３と底面シート４の間には、開口６の周縁より外方にスペーサー８が設けられる。スペーサー８は、開口６の周縁より外方に、開口６とは重ならないように設けられる。排泄物収容物品１は開口６の周縁より外方にスペーサー８が設けられるため、排泄物収容物品１が厚み方向ｚに圧迫されても、スペーサー８の存在により尿等が袋２内で好適に拡散できるようになる。従って、排泄物収容物品１をブリーフタイプのパンツの内面に配して使用したり、おむつカバーにより着用者の股間に押し当てて固定して使用しても、尿等が好適に袋２内に収容され、漏れが防止されやすくなる。また本発明の排泄物収容物品１は、スペーサー８が開口６とは重ならないように設けられることにより、着用者が開口６に男性器を挿入しても男性器がスペーサー８に触れにくくなる。従って、着用者が開口６に男性器を挿入した際、スペーサー８に男性器が触れて違和感を覚えにくくなり、着用感が向上する。
【００３５】
スペーサー８は、開口６の周縁より外方に設けられる限り、排泄物収容物品１の長手方向ｙの前方側に設けられてもよく、後方側に設けられてもよく、前方側と後方側の両方に設けられてもよい。またスペーサー８は、開口６の周縁より、幅方向ｘの外方に設けられてもよい。スペーサー８の配置位置は、排泄物収容物品１の意図された使用態様に基づき適宜決定される。
【００３６】
図１では、開口６が排泄物収容物品１の前方側に設けられるとともに、スペーサー８が排泄物収容物品１の後方側に設けられている。つまり、図１に示した排泄物収容物品１は、例えば、開口６に男性器を挿入して、着用者の男性器から股間（または臀部）にかけて配置して使用されることが意図されている。従って、図１に示した排泄物収容物品１は、着用者が着座したりして排泄物収容物品１の後方側が厚み方向ｚに圧迫されても、スペーサー８の存在により尿等が袋２内で好適に拡散できる。
【００３７】
スペーサー８は、袋２内にあるいずれかの部材に接合され、固定されることが好ましい。スペーサー８は、例えば、表面シート３に接合されたり、底面シート４に接合されたり、後述する液吸収体９や中間シート１１に接合される。好ましくは、スペーサー８は表面シート３に接合され、底面シート４に接合されない。すなわち、スペーサー８は上側の面が表面シート３の下側に接合され、下側の面がいずれの部材に対しても接合されない自由な状態であることが好ましい。このようにスペーサー８が設けられていれば、排泄物収容物品１が厚み方向ｚに圧迫されない状態では、スペーサー８の下側に尿等が拡散できる空間が形成されるようになり、好ましい。
【００３８】
スペーサー８は、通液路を有するものであることが好ましく、例えば、発泡ウレタン、発泡ゴム、発泡ポリエステル等の発泡ポリマーや、綿、パルプ繊維、合成繊維等の繊維の集合体である繊維塊から構成されることが好ましい。スペーサー８が発泡ポリマーまたは繊維塊から構成されていれば、発泡ポリマーまたは繊維塊の内部に存在する空隙が通液路として機能するようになる。つまり、袋２内に収容された尿等が、発泡ポリマーまたは繊維塊の内部に存在する空隙を通って、袋２内で好適に拡散できるようになる。
【００３９】
繊維塊としては、嵩高な不織布を用いることが簡便であり、好ましい。具体的には、繊維塊として、エアスルー不織布またはエアレイド不織布を用いることが好ましい。このような不織布を用いれば、不織布を嵩高くすることが容易になる。そして、不織布を構成する繊維間隙を比較的大きくすることができ、尿等の拡散性を高めやすくなる。スペーサー８を構成する不織布としては、特にエアスルー不織布を用いることが好ましい。
【００４０】
スペーサー８として不織布を用いる場合、不織布の目付は５０ｇ／ｍ2以上が好ましく、６０ｇ／ｍ2以上がより好ましい。スペーサー８を構成する不織布の目付が５０ｇ／ｍ2以上であれば、スペーサー８が比較的嵩高く形成されて、スペーサー８での尿等の拡散性が高められる。スペーサー８の不織布の目付の上限は特に定められないが、スペーサー８が適度な厚みを有するようになる点で、スペーサー８を構成する不織布の目付は４００ｇ／ｍ2以下であることが好ましく、３００ｇ／ｍ2以下であることがより好ましい。
【００４１】
スペーサー８の不織布を構成する繊維は、４ｄｔｅｘ以上の繊度を有することが好ましい。なお、不織布を構成する繊維が４ｄｔｅｘ以上の繊度を有するとは、不織布が、実質的に４ｄｔｅｘ以上の繊度を有する繊維のみから構成されることを意味する。前記繊度は、５ｄｔｅｘ以上がより好ましい。スペーサー８の不織布を構成する繊維の繊度の上限は特に限定されないが、繊度の一般的な上限として、２０ｄｔｅｘ以下が好ましく、１０ｄｔｅｘ以下がより好ましい。繊度が４ｄｔｅｘ以上の不織布は、不織布の中では比較的繊維径が太いものとなる。スペーサー８の不織布を構成する繊維が４ｄｔｅｘ以上の繊度を有していれば、不織布の繊維間の空隙が大きくなり、尿等の拡散性が良好となる。
【００４２】
スペーサー８はまた、天然ゴムや、ウレタンゴム、スチレンブタジエンゴム、ブタジエンゴム、エチレンプロピレンゴム等の合成ゴムから構成されていてもよい。なお、天然ゴムや合成ゴムのようなゴム材料はそのままでは通液性を有しないため、スペーサー８がゴム材料から構成される場合は、ゴム材料に通液路として機能する溝が形成されることが好ましい。なお、溝は、スペーサー８がゴム材料から構成される場合に限らず、発泡ポリマーや繊維塊等から構成される場合であっても、形成されてもよい。
【００４３】
排泄物収容物品１は、表面シート３と底面シート４の間に液吸収体が設けられていることが好ましい。表面シート３と底面シート４の間に液吸収体が設けられていれば、袋２の内部に収容された尿等の排泄物が液吸収体に吸収されて固定され、尿等の排泄物を袋２内に好適に収容できるようになる。
【００４４】
液吸収体は、尿等の排泄物を吸収できる吸収性材料を含むものであれば特に限定されない。液吸収体としては、例えば、吸収性材料を所定形状に成形した成形体を用いたり、あるいは吸収性材料を紙（例えば、ティッシュペーパーや薄葉紙）や液透過性不織布等のシート部材で覆ったものを用いることができる。液吸収体に含まれる吸収性材料としては、例えば、粉砕したパルプ繊維、セルロース繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等の体液との親和性を高めるために、界面活性剤等により親水化処理がされていてもよい。
【００４５】
吸収性材料は、尿等を速やかに吸収できるようにするために親水性繊維を含むことが好ましい。また、液吸収体の吸収容量を高める点からは、吸収性材料は吸水性樹脂を含むことが好ましい。吸収性材料は、例えば、親水性繊維の集合体に吸水性樹脂を混合または散布したものを用いればよい。
【００４６】
液吸収体は、不織布シート間に吸水性樹脂を有しパルプ繊維を有しないシート状吸収体であってもよい。シート状吸収体は不織布シート間に吸水性樹脂を有するため、高い吸収容量を実現できる。また、シート状吸収体は不織布シート間にパルプ繊維を有しないため、嵩張らず薄型に形成することができる。
【００４７】
シート状吸収体に用いられる不織布シートは液透過性であり、そのような不織布シートとしては、例えば、セルロース、レーヨン、コットン等の親水性繊維；ポリオレフィン（例えば、ポリプロピレン、ポリエチレン）、ポリエステル、ポリアミド（例えば、ナイロン）等の疎水性繊維を界面活性剤で親水化したものを用いればよい。
【００４８】
本発明の排泄物収容物品について、液吸収体を設けた実施態様を図４〜図６を参照して説明する。図４〜図６には、本発明の排泄物収容物品の第２実施態様として、図１〜図３に示した排泄物収容物品１に対し、表面シート３と底面シート４の間に液吸収体９を設けた排泄物収容物品１を示した。図４は、排泄物収容物品の一部を切り欠いて表された平面図を表す。図４は、排泄物収容物品の着用者の肌に面する側を表している。図５は、図４のＶ−Ｖ断面図を表し、図６は、図４のＶＩ−ＶＩ断面図を表す。なお下記の説明において、図１〜図３に示した第１実施態様と重複する部分の説明は省略する。また図４では、表面シート３と底面シート４が接合されている周縁部５のハッチング表示が省略されている。
【００４９】
図４〜図６に示した排泄物収容物品１は、表面シート３と底面シート４の間に液吸収体９が設けられている。液吸収体９は底面シート４に接合して設けられている。また図５および図６に示すように、液吸収体９の上側には液透過性の中間シート１１が設けられ、液吸収体９が中間シート１１と底面シート４の間に設けられることが好ましい。
【００５０】
中間シート１１は、液透過性であればその材料は特に限定されない。中間シート１１の材料としては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、中間シート１１として、織布、編布、孔が形成されたプラスチックフィルムを用いてもよい。中間シート１１の材料として使用される不織布としては、スパンボンド法、エアスルー法、ポイントボンド法、メルトブロー法、エアレイド法やそれらの製法の組み合わせ（例えば、ＳＭＳ法）等により製造された不織布を用いればよい。
【００５１】
スペーサー８は、図６に示すように、液吸収体９の上側に設けられることが好ましい。このようにスペーサー８と液吸収体９が配されていれば、袋２内に収容した尿等は、排泄物収容物品１が厚み方向ｚに圧迫されない状態では、液吸収体９上を拡散して液吸収体９の広い範囲で吸収されるようになる。排泄物収容物品１が厚み方向ｚに圧迫された状態では、尿等はスペーサー８の通液路を通って拡散して、液吸収体９の広い範囲で吸収されるようになる。
【００５２】
液吸収体９には、袋２の開口６と重なる位置に開口１０が形成されていることが好ましい。このように液吸収体９に開口１０が形成されていれば、開口６から袋２内に男性器を挿入した際、液吸収体９の開口１０の部分に男性器が収まって、袋２内で男性器が窮屈感を覚えにくくなる。
【００５３】
液吸収体９の開口１０の形状は特に限定されないが、幅方向ｘより長手方向ｙに長い形状であることが好ましく、例えば、長方形、角の丸まった長方形、楕円形等が挙げられる。開口１０がこのような形状であれば、開口１０の部分に男性器が収まりやすくなる。また図には表されていないが、開口１０は長手方向ｙの後方側が前方側より幅広に形成されていることも好ましく、このような形状としては、例えば、台形、角の丸まった台形、卵形等が挙げられる。
【００５４】
図４では、開口１０の周囲全体が液吸収体９（吸収性材料）に囲まれているが、開口１０は液吸収体９の外縁と交わるように形成されていてもよい。この場合、例えば、開口１０が液吸収体９を分割するように溝状に形成されることとなる。この場合、溝（開口１０）は長手方向ｙに延びるように形成されることが好ましい。
【００５５】
排泄物収容物品１に開口１０を有する液吸収体９が備えられる場合、開口１０を有する液吸収体９は、不織布シート間に吸水性樹脂を有しパルプ繊維を有しないシート状吸収体であることが好ましい。開口１０を有する液吸収体９がシート状吸収体であれば、使用前はシート状吸収体が薄く形成されているため、袋２内に男性器を挿入しやすくなる。そしてシート状吸収体が尿等を吸収すると、開口１０の周囲のシート状吸収体の吸水性樹脂が尿等を吸収して膨潤するため、開口１０の部分に男性器が収まりやすくなる。
【００５６】
排泄物収容物品１に開口１０を有する液吸収体９が備えられる場合であっても、排泄物収容物品１には開口を有しない液吸収体が別途設けられていてもよい。もちろん、開口を有する液吸収体が２つ以上積層されて設けられてもよい。
【００５７】
図１〜図３に示した第１実施態様と図４〜図６に示した第２実施態様では、袋２に形成された開口６が排泄物収容物品１の前方側に設けられていたが、袋２の開口６は図７に示すように排泄物収容物品１の後方側に設けられてもよい。図７には本発明の排泄物収容物品の第３実施態様を示したが、第３実施態様について、図４〜図６に示した第２実施態様と重複する部分を省略して説明する。
【００５８】
図７に示した排泄物収容物品１は、長手方向ｙの後方側に開口６が設けられ、開口６の周縁に肌当接部材７が設けられている。この場合も、開口６と肌当接部材７は、長手方向ｙの一方側が他方側より幅広に形成されていることが好ましく、長手方向ｙの後方側が前方側より幅広に形成されていることが好ましい。
【００５９】
開口６が長手方向ｙの後方側に配される場合、スペーサー８は長手方向ｙの前方側に配されることが好ましい。このように開口６とスペーサー８が配されていれば、男性器から尿が勢いよく排出されてもスペーサー８によって尿の勢いが抑えられ、尿が袋２内に好適に収容されるようになる。スペーサー８が開口６よりも前方側に配される場合、スペーサー８は後方側が凹んだ形状を有していることが好ましい。このとき、スペーサー８の後方側の凹みの深さは、スペーサー８の長手方向ｙの長さの４０％以上であることが好ましく、５０％以上であることがより好ましい。スペーサー８がこのような形状を有していれば、スペーサー８に男性器（特に陰茎）が触れにくくなるとともに、男性器から排出された尿がスペーサー８で好適に受け止められるようになる。
【００６０】
袋２に形成される開口６はまた、図８に示すように排泄物収容物品１の中央付近に設けられてもよい。図８には本発明の排泄物収容物品の第４実施態様を示したが、図８に示した排泄物収容物品１は、長手方向ｙの中央付近に開口６が設けられ、開口６の周縁に肌当接部材７が設けられている。そしてスペーサー８が、開口６の前方側と後方側の両方に配されている。図８に示した排泄物収容物品１では、上記説明した第２実施態様と第３実施態様の両方の効果が得られる。
【００６１】
上記では、本発明の排泄物収容物品を尿パッドに適用する場合について説明したが、本発明の排泄物収容物品は尿パッドに限定されず、使い捨ておむつ等の一般の吸収性物品に適用することができる。
【００６２】
排泄物収容物品が使い捨ておむつである場合、使い捨ておむつは、左右に一対の止着部材が備えられ、当該止着部材により着用時にパンツ型に形成するオープン型使い捨ておむつであってもよく、ウェスト開口部と一対の脚開口部とが形成されたパンツ型使い捨ておむつであってもよい。
【符号の説明】
【００６３】
１：  排泄物収容物品
２：  袋
３：  表面シート
４：  底面シート
６：  開口
７：  肌当接部材
８：  スペーサー
９：  液吸収体
１０：  開口
【図１】
2012157596.tif 000003
【図２】
2012157596.tif 000004
【図３】
2012157596.tif 000005
【図４】
2012157596.tif 000006
【図５】
2012157596.tif 000007
【図６】
2012157596.tif 000008
【図７】
2012157596.tif 000009
【図８】
2012157596.tif 000010